(57)【要約】      （修正有）【課題】カーテンレールの上に容易にセットしてＣＤや写真集などを整理したり観賞したりでき、しかも簡素で安価なカーテンレール用ラックを実現する。【解決手段】カーテンレールＲの上にセットした状態で、前端で立ち上がったストッパー５を有し、後端がカーテンレールＲの背壁面と接するように垂下２しており、その中間部は水平アーム４になっている形状が左右両端に設けてあり、また、前端の位置で一体に連続しており、左右の水平アーム４の上に書籍ＢやＣＤ等を置いたり、写真や額を立てたりした際に立ち上がった部分がストッパー５として作用する。【選択図】図３
2015223337.tif 000002
【特許請求の範囲】
【請求項１】
カーテンレールの上にセットした状態で、前端で立ち上がったストッパーを有し、後端がカーテンレールの背壁面と接するように垂下しており、その中間部は水平アームになっている形状が、少なくとも左右両端に設けてあり、前記前端の位置で左右の水平アームが一体に連続されていることを特徴とするカーテンレール用ラック。
【請求項２】
少なくとも、前記の左右両端の水平アームが、板部又は網状部若しくはパンチングメタルで水平に連結されていることを特徴とする請求項１に記載のカーテンレール用ラック。
【請求項３】
前記の垂下した部分と建物との間にスペーサが挿入され、前記スペーサが建物の壁面に当たって、前記垂下部をカーテンレール側に押しつけるように構成されていることを特徴とする請求項１又は請求項２に記載のカーテンレール用ラック。
【発明の詳細な説明】
【技術分野】
【０００１】
本発明は、カーテンレールの上に簡易にセットして額や写真を飾ったりＣＤや書籍などを整理でき、しかも簡素で安価なカーテンレール用ラックに関する。
【背景技術】
【０００２】
賞状や額、写真などは、常時観やすい場所に配置したい。また、ＣＤやＤＶＤなどは、容易に選出し易い場所に保管したい。このような要望を総て満たすことは困難であるが、カーテンレールの上方の空間は空いているのが通常であり、有効に活用されていない。従って、カーテンレールの上方の空間を活用して、賞状や額、写真、小さな観葉植物などを常時観やすいように配設したり、ＣＤやＤＶＤなどを容易に選出し易いように常に出しておく方法として、カーテンレール用のラックが有ると便利である。
【先行技術文献】
【特許文献】
【０００３】
【特許文献１】特開2004−81227
【特許文献２】特開2010−131213
【発明の概要】
【発明が解決しようとする課題】
【０００４】
カーテンレールを有効利用できる方法として、特許文献１のように、弾性変形可能な薄肉部に歯を設けたソケットと、前記歯と噛み合う歯を両側面に備えるプラグを組み合わせてアタッチメントを形成し、前記ソケットとプラグには対向配置のフックを備えさせ、そのフックで棚板を上下から挟みつけてアタッチメントを棚板に取り付け、そして、前記ソケットに設けたクリップ係止具にカーテンクリップを掛けてカーテンを吊るす発明がある。
しかしながら、構造が複雑で高価となり、カーテンレールへの取付け方も複雑である。一方特許文献２の構成は、構造は簡単だが、カーテンレールの幅の領域より大きな棚のため、カーテンが邪魔になったり、重い物を載せがちで、カーテンレールが損傷する恐れがある。
本発明の技術的課題は、このような問題に着目し、カーテンレールの上に容易にセットして写真集などを整理したり観賞したりでき、しかも簡素で安価なカーテンレール用ラックを実現することにある。
【課題を解決するための手段】
【０００５】
本発明の技術的課題は次のような手段によって解決される。請求項１は、カーテンレールの上にセットした状態で、前端で立ち上がったストッパーを有し、後端がカーテンレールの背壁面と接するように垂下しており、その中間部は水平アームになっている形状が、少なくとも左右両端に設けてあり、前記前端の位置で左右の水平アームが一体に連続されていることを特徴とするカーテンレール用ラックである。
【０００６】
請求項２は、少なくとも、前記の左右両端の水平アームが、板部又は網状部若しくはパンチングメタルで水平に連結されていることを特徴とする請求項１に記載のカーテンレール用ラックである。なお、網目の形状の如何は問わない。
【０００７】
請求項３は、前記の垂下した部分と壁面との間にスペーサが挿入され、前記スペーサが壁面に当たって、前記垂下部をカーテンレール側に押しつけるように構成されていることを特徴とする請求項１又は請求項２に記載のカーテンレール用ラックである。
【発明の効果】
【０００８】
請求項１によると、カーテンレールの上にセットした状態で、前端で立ち上がったストッパーを有し、後端がカーテンレールの背壁面と接するように垂下しており、その中間部は水平アームになっている形状が、少なくとも左右両端に設けてあるので、前記の水平アームの上に書籍やＣＤ等を置いたり、写真や額を立てたりした際に前記立ち上がった部分がストッパーとして作用し前方に落下する恐れはない。しかも、前記前端の位置で左右の水平アームが一体に連続しているので、取り扱いが簡易である。なお、安定性が悪い場合は、粘着テープＴなどでカーテンレールＲの上面に固定するとよい。
【０００９】
請求項２によると、少なくとも、前記の左右両端の水平アームが、板部又は網状部若しくはパンチングメタルで水平に連結されているので、上に載せる書籍や額、ＣＤ、写真、植木鉢、小物等を置きやすく、しかも載せる物の重みを受けやすく、より安定しやすい。
【００１０】
請求項３のように、前記の垂下した部分と壁面との間にスペーサが挿入されると、前記スペーサが建物の壁面に当たって、前記垂下部をカーテンレール側に押しつけるように作用するので、物を載せてなくても、また物が軽い場合でも、カーテンレール用ラックを安定よくカーテンレールの上にセットできる。もちろん、粘着テープで固定する必要もない。
【図面の簡単な説明】
【００１１】
【図１】本発明によるカーテンレール用ラックで、（１）は針金状構成を前方から見た斜視図、（２）は後方から見た斜視図である。
【図２】本発明のカーテンレール用ラックをカーテンレールの上にセットした状態の斜視図である。
【図３】カーテンレール用ラックの上に書籍やＣＤを置いた側面斜視図である。
【図４】カーテンレール用ラックの上に写真集や額を置いた状態を正面から見た斜視図である。
【図５】（１）は断面四角形の合成樹脂製バーを図１のように成型した例、（２）（３）は左右の水平アーム間が連結されている実施形態で、（２）は板状の連結形状、（３）は網状の連結形状である。
【図６】スペーサを有する実施形態の斜視図で、（１）はカーテンレール用ラックの針金状線材を延長した例、（２）は細いワイヤーを円弧状に取付けた例、（３）はスペーサを板状にした例である。
【図７】ストッパーの別の実施形態を示す斜視図である。
【発明を実施するための形態】
【００１２】
次に本発明によるカーテンレール用ラックが実際上どのように具体化されるか実施形態で説明する。図１の（１）は最もシンプルな例であり、２〜４ｍｍ程度の太い針金などを折り曲げて製作できる。すなわち、カーテンレールの上にセットした状態で、前端１・１が上向きに折れ曲がっており、（２）図のように、後端２・２がカーテンレールＲの背壁面３と接するように垂下しており、その中間部４・４は水平アームになっている。このような構成が少なくとも左右両端に設けてある。そして、少なくとも前端１・１の上部は、水平ストッパー５で一体に連続している。
なお、前端１・１が上向きに折れ曲がる角度は、９０度より多少小さくてもよく、また後端２・２がカーテンレールＲの背壁面３と接するように垂下する形状は、「つ」の字状や「く」の字状に湾曲していてもよく、「コ」の字状に約９０度に二回折れ曲がっていてもよく、９０度以外の角度で折れ曲がっていてもよい。
【００１３】
図２は、前記のカーテンレール用ラックをカーテンレールＲの上にセットした状態であり、前記水平アーム４・４の部分が、２本のカーテンレールＲ、Ｒの上面に載置されている。カーテンの上端がカーテンレールＲより上側に突出する場合は、本発明のカーテンレール用ラックが邪魔になるので、前端１・１はカーテンレールＲの幅より引っ込めて、カーテン側に突出しないように配慮する。しかし、２本のカーテンレールの間隔や取付け金具の長さなどの寸法は規格化されていて、一定であるから、水平アーム４・４の長さを一定に製作すれば足りる。
このカーテンレール用ラックの上に書籍ＢやＣＤを置いた状態を側面方向から見た斜視図が図３である。このように、水平アーム４・４の部分の上に書籍ＢやＣＤを置いて上端を背壁Ｗに立てかけるが、前端上部に水平ストッパー５が有るので、落下する恐れはない。
図４は写真集Ｐや額ｆを、本発明のカーテンレール用ラックの上に置いて、上端を壁面Ｗに立てかけた状態を正面から見た斜視図で、前端上部の水平ストッパー５が見える。
【００１４】
図５（１）は合成樹脂製であり、断面四角形のバー状に、しかも図１のように屈曲成型したカーテンレール用ラックである。このように合成樹脂製にすると、透明にすることも可能で、逆に各種のカラー化が可能で、カーテンの色を考慮した配色も可能となる。従って、カーテンを買う際に本発明のカーテンレール用ラックの色も選べるように、カーテン売り場に置くほうか好適である。なお、断面が円形の針金状体を曲げて本発明のカーテンレール用ラックを製造する場合は、各種の色付きの合成樹脂皮膜で覆うことも可能である。
（２）（３）は左右の水平アーム４・４の間が連結された実施形態で、（２）は、板状体６を図１と同様に水平アーム４・４の前端１・１を上方向に、後端２・２を垂下する方向に折り曲げてある。図示例は、前端１・１間も後端２・２間も板状体６で連結してある。この板状体６の厚さ寸法は任意であるが、左右両縁だけを太くしてもよい。
（３）は、網状体ｍで左右の水平アーム４・４の間を連結した実施形態である。網状体ｍのメッシュのサイズは任意であり、また材質については、金属製の網が製作や左右の水平アーム４・４との連結が容易であるが、左右の水平アーム４・４が合成樹脂製の場合は、網状体ｍも合成樹脂製の方が製作上便利である。このように、板状体６や網状体ｍ、パンチングメタルなどで連結し、大きな隙間を無くしたり小さくすると、ミニプランター等を置いて観賞することもできて癒される。
なお、両水平アーム４・４の間隔は任意であり、長くも出来るが、カーテンレールの負荷を考えると、長くして重い物を置くのは避けた方がよい。
【００１５】
本発明のカーテンレール用ラックをカーテンレールＲの上に載置しただけでは安定性が悪い場合は、図２の鎖線のような粘着テープＴなどでカーテンレールＲの上面に固定するのもよいが、図６のようなスペーサ手段を設けるのもよい。すなわち、（１）のように、垂下部２・２と同じ寸法だけＵターンさせて立ち上げた後、建物の背壁Ｗと接するアーム７・７を形成する。８・８は、Ｕターン部である。
このように、片持ち梁状のアーム７・７を、背壁Ｗと接するまで延長させてあるので、垂下部２・２がカーテンレールＲの背壁面３と接するように嵌め込むと、アーム７・７が自身のばね力に抗して多少前側に移動する。このばね力で、垂下部２・２がカーテンレールＲの背壁面３側に押圧されて安定する。なお、アーム７・７の曲げ具合を消費者が調節することで、最適なばね性が得られる。
（２）図は、垂下部２・２にドリル等で小孔ｈ・ｈを開けて、細いばね線材９の両端を後方から挿入すると、ばね線材９が自然と円弧状になる。この円弧状の細いばね線材９が、建物の背壁Ｗと接するように垂下部２・２を嵌め込むと、垂下部２・２がカーテンレールＲの背壁面３に弾圧され、カーテンレール用ラックが安定する。この状態では、円弧状の細いばね線材９の背壁Ｗと接した部分は強制的に直線状となる。なお、販売に際しては、細いばね線材９は、鎖線のような直線状の状態でアタッチメントとして付属させる。
（３）図は、図５（２）のような板状体６を（１）図の片持ちアーム７・７と同様に建物の背壁Ｗの方向に延ばしてスペーサとした実施形態である。
【００１６】
図５（１）のように、断面四角形のバー状体を用いると、細いばね線材９を挿入する小孔ｈ・ｈを開ける作業が容易である。断面四角形のバー状垂下体２、２の背面に縦溝を形成し、前記の円弧状の細いばね線材９を立てて壁部Ｗと前記縦溝との間に挿入し、スペーサとすることもできる。このスペーサとして、楔状体を挿入してもよい。
楔状に挿入するスペーサとしては、カーテンレールＲの背壁面３と建物の背壁Ｗ間の間隔より直径が大きな合成樹脂製ペットボトルを輪切りにして用いることもできる。楔状に挿入した状態では、前記直径が前記間隔よりわずかに大きければ、楕円状となり、もっと大径だと、トラック状の平行形状となり、さらに大径だと、「８」の字状に真ん中が括れた形状となる。
なお、前記の針金状の垂下部２・２を四角状に包むように、部分的に合成樹脂製にすることも可能である。
【００１７】
別の実施形態として、上部に設けた水平ストッパー５に代えて、図７のように二重に折り返して上方に部分的に突出したストッパーを設けてもよい。すなわち、逆Ｕ字状に折り曲げてストッパー１′とした構成を両端の水平アーム４・４の先端のみに或いは図示のように真ん中にも設ける。
なお、水平ストッパー５をＶ字状に形成して、全体としてＭ字状のストッパーにしたり、逆Ｖ字状に形成して、全体としてＷ字状にしたりもできる。このように、最も目立つストッパーのデザインは、好みに応じていろいろな形状が可能である。
最終ユーザーの好みに応じて、これらの実施形態又は図１〜６の構成を選択使用できる。図５（２）や図６（３）のような板状のストッパーもこの実施形態のような逆Ｕ字状ストッパー１′やＭ字状、Ｗ字状にしてもよい。
【産業上の利用可能性】
【００１８】
以上のように、カーテンレールの上にセットした状態で、前端が上向きに折れ曲がっており、後端がカーテンレールの背壁面と接するように垂下しており、その中間部は水平アームになっている構成が、少なくとも左右両端に設けてあるので、前記の水平アームの上に書籍や額、ＣＤ等を置いたり、写真を立てたりして、上端を壁面に支持できる。しかも、少なくとも前端上部は一体に連続しているので、前方に落下する恐れはない。また、水平になった両アームの間を板材や網、パンチングメタルなどで連結して、その上に観賞品などを置くと、インテリア効果が得られる。
【符号の説明】
【００１９】
１・１  上向きに折れ曲がった前端
２・２  後端（垂下部）
Ｒ  カーテンレール
３  背壁面
４・４  中間部（水平アーム）
５  水平ストッパー
Ｂ  書籍
Ｐ  写真集
ｆ  額
６  板状体
ｍ  網状体
Ｔ  粘着テープ
Ｗ  建物の背壁
７・７  押圧アーム（スペーサ）
８・８  Ｕターン部
ｈ・ｈ  小孔
９  細いばね線材
１′  部分的に設けたストッパー
【図１】
2015223337.tif 000003
【図２】
2015223337.tif 000004
【図３】
2015223337.tif 000005
【図４】
2015223337.tif 000006
【図５】
2015223337.tif 000007
【図６】
2015223337.tif 000008
【図７】
2015223337.tif 000009